(57)【要約】【課題】端子カバーの取り外しに手数がかかるとともに端子カバーが浮き上がるという課題があった。【解決手段】第１の凹形状壁部および第２の凹形状壁部を有する凹形状部が形成された回路遮断器本体と、回路遮断器本体に形成された凹形状部に嵌め合わされる略Ｕ字形状のフックを有する端子カバーとを備え、略Ｕ字形状のフックの基部は凹形状部の第１の凹形状壁部側に位置し、略Ｕ字形状のフックの可撓部は凹形状部の第２の凹形状壁部側に位置するとともに、略Ｕ字形状のフックの基部に凹形状部の第１の凹形状壁部に設けられた係止部と係合する突起体を設けたものである。【選択図】図３
2011154885.tif 000002
【特許請求の範囲】
【請求項１】
第１の凹形状壁部および第２の凹形状壁部を有する凹形状部が形成された回路遮断器本体と、前記回路遮断器本体に形成された前記凹形状部に嵌め合わされる略Ｕ字形状のフックを有する端子カバーとを備え、前記略Ｕ字形状のフックの基部は前記凹形状部の前記第１の凹形状壁部側に位置し、前記略Ｕ字形状のフックの可撓部は前記凹形状部の前記第２の凹形状壁部側に位置するとともに、前記略Ｕ字形状のフックの基部に前記凹形状部の前記第１の凹形状壁部に設けられた係止部と係合する突起体を設けたことを特徴とする回路遮断器。
【請求項２】
前記端子カバーをスライドさせることにより、前記略Ｕ字形状のフックの可撓部が撓んで前記突起体と前記凹形状部の前記第１の凹形状壁部に設けられた係止部との係合を解除して前記端子カバーを前記回路遮断器本体から取り外せることを特徴とする請求項１に記載の回路遮断器。
【請求項３】
前記略Ｕ字形状のフックの可撓部は、根元部の肉厚が厚く、先端部の肉厚が薄いことを特徴とする請求項１または請求項２に記載の回路遮断器。
【請求項４】
前記端子カバーは前記回路遮断器本体と摺動可能なガイド体を設けたこと特徴とする請求項２に記載の回路遮断器。
【発明の詳細な説明】
【技術分野】
【０００１】
この発明は回路遮断器に関し、特に回路遮断器の端子カバーに設けられた弾性を有する略Ｕ字形状のフックと回路遮断器本体との係合部とを略Ｕ字形状のフックの弾性力で係合させることにより、端子カバーを回路遮断器本体に装着する回路遮断器に関するものである。
【背景技術】
【０００２】
例えば、従来の回路遮断器としては図６に示すものがある。図６は従来の回路遮断器を示す側面断面図である。図６において、１は回路遮断器本体であり、凹形状部２が形成されている。凹形状部２の回路遮断器本体１側の第１の凹形状壁部３には係止部４が設けられている。また、凹形状部２の反回路遮断器本体１側、すなわち、端子ネジ６側の第２の凹形状壁部５は平面状となっている。
【０００３】
２１は端子ネジ６すなわち充電部が外部に露出することを防止するため、プラスチックなどの非導電性材で成形された端子カバーであり、その端子カバー２１の壁板２２の下方には図示しない接続電線を通すための貫通孔２３が設けられている。
【０００４】
また、端子カバー２１には壁板２２と一体に形成された略Ｕ字形状のフック２４が設けられている。略Ｕ字形状のフック２４の基部２４ａが凹形状部２の第２の凹形状壁部５側に位置し、略Ｕ字形状のフック２４の可撓部２４ｂが凹形状部２の第１の凹形状壁部３側に位置している。そして、略Ｕ字形状のフック２４の可撓部２４ｂには第１の凹形状壁部３に設けられた係止部４と係合する突起体２５が設けられている。なお、略Ｕ字形状のフック２４の可撓部２４ｂは移動空間部２６内でたわみ移動する。
【０００５】
図６は回路遮断器本体１の凹形状部２に端子カバー２１に設けた略Ｕ字形状のフック２４が嵌め合わされた状態を示し、Ｃ部にて示すように略Ｕ字形状のフック２４の可撓部２４ｂに設けた突起体２５が第１の凹形状壁部３に設けた係止部４と係合して端子カバー２１が回路遮断器本体１の凹形状部２から抜け出ないようになっている。
【０００６】
回路遮断器本体１から端子カバー２１を取り外す際には、端子カバー２１本体を片方の手で保持した状態で、今一方の手で略Ｕ字形状のフック２４の可撓部２４ｂの先端部をドライバー等の工具あるいは手動で矢印Ｘ方向に押して二点鎖線にて示すように撓ませ、略Ｕ字形状のフック２４の可撓部２４ｂに設けた突起体２５と回路遮断器本体１の第１の凹形状壁部３に設けた係止部４との係合状態を解除する。次に、略Ｕ字形状のフック２４の可撓部２４ｂに設けた突起体２５と回路遮断器本体１の第１の凹形状壁部３に設けた係止部４との係合状態を解除した状態で、片方の手で端子カバー２１を矢印Ｙ方向に引き抜く構成にしている。（例えば、特許文献１参照）
【先行技術文献】
【特許文献】
【０００７】
【特許文献１】特開昭５９−９０３７２号公報
【発明の概要】
【発明が解決しようとする課題】
【０００８】
上述した従来の回路遮断器においては、取り外しに際して、端子カバー２１本体を片方の手で保持した状態で、今一方の手で略Ｕ字形状のフック２４の可撓部２４ｂの先端部をドライバー等の工具あるいは手動で矢印Ｘ方向に押して撓ませ、略Ｕ字形状のフック２４
の可撓部２４ｂに設けた突起体２５と回路遮断器本体１の第１の凹形状壁部３に設けた係止部４との係合状態を解除した状態で、片方の手で端子カバー２１を矢印Ｙ方向に引き抜く構成にしているので、両手が必要な作業となり、取り外しに手数がかかるという課題があった。
【０００９】
また、端子カバー２１が回路遮断器本体１に装着した状態において、回路遮断器に結線した図示しない接続電線を持ち上げると、接続電線が端子カバー２１を押し上げて浮き上がるという課題があった。
【００１０】
この発明は上記のような課題を解決するためになされたものであり、工具を使用することなく簡単に端子カバーを取り外すことができる回路遮断器を提供することを目的とする。
【００１１】
また、回路遮断器に結線した接続電線を持ち上げても端子カバーの浮き上がりを抑制することができる回路遮断器を提供することを目的とする。
【課題を解決するための手段】
【００１２】
この発明に係わる回路遮断器は、第１の凹形状壁部および第２の凹形状壁部を有する凹形状部が形成された回路遮断器本体と、前記回路遮断器本体に形成された前記凹形状部に嵌め合わされる略Ｕ字形状のフックを有する端子カバーとを備え、前記略Ｕ字形状のフックの基部は前記凹形状部の前記第１の凹形状壁部側に位置し、前記略Ｕ字形状のフックの可撓部は前記凹形状部の前記第２の凹形状壁部側に位置するとともに、前記略Ｕ字形状のフックの基部に前記凹形状部の前記第１の凹形状壁部に設けられた係止部と係合する突起体を設けたものである。
【発明の効果】
【００１３】
この発明に係わる回路遮断器は、略Ｕ字形状のフックの基部を回路遮断器本体の凹形状部の第１の凹形状壁部側に位置させ、略Ｕ字形状のフックの可撓部を回路遮断器本体の凹形状部の第２の凹形状壁部側に位置させたことにより、簡単に端子カバーを取り外すことができる回路遮断器を得ることができる。
また、回路遮断器に結線した接続電線を持ち上げても端子カバーの浮き上がりを抑制することができる回路遮断器を得ることができる。
【図面の簡単な説明】
【００１４】
【図１】この発明の実施の形態１に係わる回路遮断器における端子カバーを示す斜視図である。
【図２】この発明の実施の形態１に係わる回路遮断器における端子カバーの浮き上がりの抑制を示す側面断面図である。
【図３】この発明の実施の形態１に係わる回路遮断器を示す側面断面図である。
【図４】この発明の実施の形態１に係わる回路遮断器における端子カバーを示す側面断面図である。
【図５】この発明の実施の形態２に係わる回路遮断器を示す正面断面図である。
【図６】従来の回路遮断器を示す側面断面図である。
【発明を実施するための形態】
【００１５】
実施の形態１.
以下、この発明の実施の形態１を図１ないし図４に基づいて説明する。図１はこの発明の実施の形態１に係わる回路遮断器における端子カバーを示す斜視図であり、弾性を有する略Ｕ字形状のフックが設けられた端子カバーの形状を表すものである。図２はこの発明の実施の形態１に係わる回路遮断器における端子カバーの浮き上がりの抑制を示す側面断
面図であり、結線した接続電線の持ち上げによる外力がかかっても端子カバーの浮き上がりを抑制する構成を図解したものである。図３はこの発明の実施の形態１に係わる回路遮断器を示す側面断面図であり、端子カバーを回路遮断器本体に係合した状態と、その状態から取り外す手段を図解したものである。図４はこの発明の実施の形態１に係わる回路遮断器における端子カバーを示す側面断面図であり、端子カバーが持つ略Ｕ字形状のフックの形状を示したものである。
【００１６】
これら各図において、１は回路遮断器本体であり、凹形状部２が形成されている。凹形状部２の回路遮断器本体１側の第１の凹形状壁部３には係止部４が設けられている。また、凹形状部２の反回路遮断器本体１側、すなわち、端子ネジ６側の第２の凹形状壁部５は平面状となっている。
【００１７】
１１は端子ネジ６すなわち充電部が外部に露出することを防止するため、プラスチックなどの非導電性材で成形された端子カバーであり、その端子カバー１１の壁板１２の下方には接続電線７を通すための貫通孔１３が設けられている。
【００１８】
また、端子カバー１１には壁板１２と一体に形成された略Ｕ字形状のフック１４が設けられている。略Ｕ字形状のフック１４の基部１４ａが凹形状部２の第１の凹形状壁部３側に位置し、略Ｕ字形状のフック１４の可撓部１４ｂが凹形状部２の第２の凹形状壁部５側に位置している。
【００１９】
そして、略Ｕ字形状のフック１４の基部１４ａには第１の凹形状壁部３に設けられた係止部４と係合する突起体１５が設けられている。なお、略Ｕ字形状のフック１４の可撓部１４ｂは移動空間部１６内でたわみ移動する。
【００２０】
また、略Ｕ字形状のフック１４の可撓部１４ｂは、根元部Ｂの肉厚が厚く、先端部Ｄの肉厚が薄く構成されている。
【００２１】
図２に示すように、この発明の実施の形態１における端子カバー１１は、端子ネジ６で結線した接続電線７を矢印Ｆの方向に引っ張り上げ、端子カバー１１を突き上げるような外力が掛かった時には、Ａ部を回転中心として矢印Ｇの方向に端子カバー１１が浮き上がろうとするが、略Ｕ字形状のフック１４の可撓部１４ｂの根元部のＢ部が回路遮断器本体１の凹形状部２の第２の凹形状壁部５と干渉して、端子カバー１１の浮き上がりを抑制する構造となっている。このため、略Ｕ字形状のフック１４の可撓部１４ｂの根元部のＢ部はたわみにくく剛性を出すため肉厚の厚い形状としている。
【００２２】
図３に示すように、この発明の実施の形態１における弾性を有する略Ｕ字形状のフック１４を持つ端子カバー１１は、略Ｕ字形状のフック１４の基部１４ａのたわみが至って小さい箇所Ｃ部に係合させるための爪形状からなる突起体１５を配置して、また、反対側に、略Ｕ字形状のフック１４の可撓部１４ｂの先端部にたわみが大きいＤ部を配置することにより、回路遮断器本体１に組み込むと、Ｄ部の弾性によりＣ部が係合し固着して、端子ネジ６等の充電部を保護する。
【００２３】
この状態から端子カバー１１を取り外す時は、端子カバー１１を手で保持して、そのまま端子カバー１１を矢印Ｈの方向にスライドさせるだけで、二点鎖線で示すように端子カバー１１および略Ｕ字形状のフック１４の基部１４ａが矢印Ｈの方向に移動してＣ部の係合部を解除して、端子カバー１１を取り外すことができる構成とした。
【００２４】
図４に示すように、この発明の実施の形態１における端子カバー１１は、略Ｕ字形状のフック１４の可撓部１４ｂの根元部のＢ部はたわみにくく剛性を出すため肉厚の厚い形状
として、たわみが至って小さい箇所、すなわち、略Ｕ字形状のフック１４の可撓部１４ｂの根元部のＢ部を回路遮断器本体１の凹形状部２の第２の凹形状壁部５に当接させることで、端子カバー１1の浮き上がりを抑制することができる。
【００２５】
そして、略Ｕ字形状のフック１４の可撓部１４ｂの先端部のＤ部の肉厚を薄くして、たわみが大きくなる箇所、すなわち、略Ｕ字形状のフック１４の可撓部１４ｂの先端部のＤ部を回路遮断器本体１の凹形状部２の第２の凹形状壁部５に当接させることで、端子カバー１１を回路遮断器本体１に固着させる。この状態から端子カバー１１を取り外す時は、端子カバー１１を手で保持して、そのまま端子カバー１１を矢印Ｈの方向にスライドさせるだけでＣ部の係合部を解除して、簡単に端子カバー１１を取り外しができる構成としている。
【００２６】
以上のように、この実施の形態１によれば、端子カバー１１を手で保持して、そのまま端子カバー１１を矢印Ｈの方向にスライドさせるだけでＣ部の係合部を解除して、ドライバ等の工具を使用することなく片手で簡単に端子カバー１１を取り外すことができる。
【００２７】
また、端子カバー１１に設けられた略Ｕ字形状のフック１４の可撓部１４ｂの根元部のＢ部と回路遮断器本体１の凹形状部２の第２の凹形状壁部５とが当接して端子カバー１１の回動を阻止するので、回路遮断器本体１に結線した接続電線７の持ち上げによる端子カバー１１の浮き上がりを抑制することができる。
【００２８】
実施の形態２.
この発明の実施の形態２を図５に基づいて説明する。図５はこの発明の実施の形態２に係わる回路遮断器を示す正面断面図である。
【００２９】
図５に示すように、この発明の実施の形態２の端子カバー１１に設けられた略Ｕ字形状のフック１４は、回路遮断器本体１の端子間、すなわち、端子ネジ６間の凹形状部２に嵌め合わされて係合されるため、このような３極の回路遮断器本体１に取り付けする場合、中心から外れた箇所への配置となる。
【００３０】
図５に示すように、この発明の実施の形態２の端子カバー１１に設けられた略Ｕ字形状のフック１４は、中心から外れた箇所への配置となるため、端子カバー１１を矢印Ｈの方向にスライドして取り外す時、力が均等に作用せず、真直ぐスライドできない傾向となるので、真直ぐスライドするように、端子カバー１１に回路遮断器本体１の摺動部１８と摺動して端子カバー１１を真直ぐスライドさせるためのガイド体１７を設けた。
【００３１】
このように、端子カバー１１にガイド体１７を設けたことにより、回路遮断器本体１の摺動部１８と摺動してその摺動部１８にガイド体１７がガイドされて端子カバー１１が真直ぐスライドすることができるので、端子カバー１１の取り外しがより一層容易に行なうことができる。
【産業上の利用可能性】
【００３２】
この発明は、簡単に端子カバーを取り外すことができるとともに端子カバーの浮き上がりを抑制することができる回路遮断器の実現に好適である。
【符号の説明】
【００３３】
１  回路遮断器本体
２  凹形状部
３  第１の凹形状壁部
４  係止部
５  第２の凹形状壁部
１１  端子カバー
１４  フック
１４ａ  基部
１４ｂ  可撓部
１５  突起体
１７  ガイド体。
【図１】
2011154885.tif 000003
【図２】
2011154885.tif 000004
【図３】
2011154885.tif 000005
【図４】
2011154885.tif 000006
【図５】
2011154885.tif 000007
【図６】
2011154885.tif 000008